(57)【要約】【課題】管状の金型本体の開口に装着される蓋に特定のロック手段を設け、ロック手段の操作を自動的に行って蓋を着脱できる金型開閉装置を提供する。【解決手段】金型本体１１の開口を閉塞する円盤状の蓋１２の外周部にロック爪２４を傾動可能に設け、ロック爪先端の係止部２５を金型本体に係止させて蓋をロックする手段を有する遠心成形型の開閉装置であって、蓋を離脱可能に把持する蓋把持部５２と、ロック爪の後端を蓋内周方向に傾動させるための円錐面７２を有するロック爪操作筒５３と、ロック爪操作筒を金型軸線方向に移動させるシリンダー５４とを有し、蓋把持部が蓋を把持可能な位置でロック爪操作筒を金型方向に移動させたときに、前記円錐面によってロック爪の後端が蓋内周方向に傾動して係止部の係止状態を解除するとともに、蓋把持部が蓋を把持した状態となるように形成した。【選択図】    図１
2004155034.tif 000002
【特許請求の範囲】
【請求項１】
中空円筒体を遠心成形するための管状の金型本体と、該金型本体の開口を閉塞する円盤状の蓋とを有し、蓋の外周部に傾動可能に設けた複数のロック爪の先端に設けた係止部を金型本体に係止して金型を閉じ状態に保持し、蓋の外面に突出したロック爪の後端を蓋内周方向に傾動させることによって前記係止部の係止状態を解除するように形成したロック手段を有する遠心成形型における前記金型本体と前記蓋とを着脱するための金型開閉装置であって、開閉装置支持体に、前記蓋を離脱可能に把持する蓋把持部と、前記複数のロック爪の後端を覆うように配置されるロック爪操作筒と、該ロック爪操作筒を開閉装置支持体に対して金型軸線方向に移動させる操作筒移動手段とを設け、前記ロック爪操作筒には、複数のロック爪の外接円より大きな内径を有するロック爪側の開口部と、該開口部から次第に縮径してロック爪の後端を蓋内周方向に傾動させるための円錐面とが設けられ、該ロック爪操作筒の前記開口部で前記ロック爪の後端を覆うように蓋を配置した状態で、前記蓋把持部が蓋を把持可能な位置となり、前記操作筒移動手段によってロック爪操作筒を金型方向に移動させたときに、前記円錐面との摺接によって前記ロック爪の後端が蓋内周方向に傾動して前記係止部と金型本体との係止状態が解除されるとともに、前記蓋把持部が蓋を把持した状態となるように形成したことを特徴とする金型開閉装置。
【請求項２】
前記蓋の外面中央に円柱状の蓋支持部材を突設し、該蓋支持部材の外周に周溝を形成するとともに、前記蓋把持部は、前記蓋支持部材を囲う円筒状の蓋把持筒と、該蓋把持筒の周壁に径方向に形成した通孔内に移動可能に設けられた蓋係合部材とを有し、該蓋係合部材は、蓋把持筒外部側が蓋把持筒外周面と面一になったときに蓋把持筒内部側が蓋把持筒内周面から突出して前記蓋支持部材の周溝に係合するように形成され、前記蓋把持筒の外周には、前記操作筒移動手段の前記ロック爪操作筒を移動させる動作に伴って前記蓋係合部材を前記蓋支持部材との係合位置に移動させる把持固定筒が設けられていることを特徴とする請求項１記載の金型開閉装置。
【請求項３】
前記ロック爪は、係止部の金型本体との係止状態で金型本体に対して金型軸線方向に移動可能に形成され、前記開閉装置支持体には、ロック爪操作筒の開口部でロック爪の後端を覆うように蓋を配置した状態で、ロック爪を先端係止部方向に移動させるロック爪押動部が設けられていることを特徴とする請求項１記載の金型開閉装置。
【発明の詳細な説明】
【０００１】
【発明の属する技術分野】
本発明は、金型開閉装置に関し、詳しくは、中空円筒体を成形するための遠心成形型における金型本体の開口部に装着される蓋を自動的に着脱するための金型開閉装置に関する。
【０００２】
【従来の技術】
樹脂製中空円筒体を成形する方法として、管状の金型本体と、該金型本体の開口を閉塞する蓋とからなる遠心成形型内に原料樹脂を注入し、該金型を軸線を中心として回転させながら原料樹脂を硬化させる遠心成形法が知られている（例えば、特許文献１参照。）。
【０００３】
【特許文献１】
特開平６−３３５９３１号公報（第３頁、第１図）
【０００４】
【発明が解決しようとする課題】
しかし、従来の遠心成形型における蓋は、金型本体の端部に設けられているフランジに対して複数のボルトで固定していたため、成形品を金型内から取り出すには、ボルトを抜いて蓋を取り外す必要がある。さらに、一方の蓋を取り外しただけでは、成形品が収縮しないと金型内から取り出すことができず、冷却されるまで待たなければならなかった。また、一方の開口側から他方の開口に向けて成形品を押し出して取り出すためには、両方の蓋を取り外す必要がある。
【０００５】
このように、従来の遠心成形型では、遠心成形を行うたびに多数のボルトを着脱する必要があり、作業性が悪く、生産性も低かった。また、金型本体に対する蓋のロック機構として、キャッチクリップのような市販のロック手段を使用することも行われているが、シール力の点で問題があったり、自動化への適合が困難であったりするなどの難点があった。
【０００６】
そこで本発明は、管状に形成された金型本体の開口を閉塞するために装着される蓋に特定のロック手段を設けるとともに、このロック手段のロック操作とロック解除操作とを自動的に行って蓋の着脱を人手を介さずに行うことができる金型開閉装置を提供することを目的としている。
【０００７】
【課題を解決するための手段】
上記目的を達成するため、本発明の金型開閉装置は、中空円筒体を遠心成形するための管状の金型本体と、該金型本体の開口を閉塞する円盤状の蓋とを有し、蓋の外周部に傾動可能に設けた複数のロック爪の先端に設けた係止部を金型本体に係止して金型を閉じ状態に保持し、蓋の外面に突出したロック爪の後端を蓋内周方向に傾動させることによって前記係止部の係止状態を解除するように形成したロック手段を有する遠心成形型における前記金型本体と前記蓋とを着脱するための金型開閉装置であって、開閉装置支持体に、前記蓋を離脱可能に把持する蓋把持部と、前記複数のロック爪の後端を覆うように配置されるロック爪操作筒と、該ロック爪操作筒を開閉装置支持体に対して金型軸線方向に移動させる操作筒移動手段とを設け、前記ロック爪操作筒には、複数のロック爪の外接円より大きな内径を有するロック爪側の開口部と、該開口部から次第に縮径してロック爪の後端を蓋内周方向に傾動させるための円錐面とが設けられ、該ロック爪操作筒の前記開口部で前記ロック爪の後端を覆うように蓋を配置した状態で、前記蓋把持部が蓋を把持可能な位置となり、前記操作筒移動手段によってロック爪操作筒を金型方向に移動させたときに、前記円錐面との摺接によって前記ロック爪の後端が蓋内周方向に傾動して前記係止部と金型本体との係止状態が解除されるとともに、前記蓋把持部が蓋を把持した状態となるように形成したことを特徴としている。
【０００８】
さらに、本発明の金型開閉装置は、前記蓋の外面中央に円柱状の蓋支持部材を突設し、該蓋支持部材の外周に周溝を形成するとともに、前記蓋把持部は、前記蓋支持部材を囲う円筒状の蓋把持筒と、該蓋把持筒の周壁に径方向に形成した通孔内に移動可能に設けられた蓋係合部材とを有し、該蓋係合部材は、蓋把持筒外部側が蓋把持筒外周面と面一になったときに蓋把持筒内部側が蓋把持筒内周面から突出して前記蓋支持部材の周溝に係合するように形成され、前記蓋把持筒の外周には、前記操作筒移動手段の前記ロック爪操作筒を移動させる動作に伴って前記蓋係合部材を前記蓋支持部材との係合位置に移動させる把持固定筒が設けられていることを特徴としている。
【０００９】
また、本発明の金型開閉装置は、前記ロック爪が、係止部の金型本体との係止状態で金型本体に対して金型軸線方向に移動可能に形成され、前記開閉装置支持体には、ロック爪操作筒の開口部でロック爪の後端を覆うように蓋を配置した状態で、ロック爪を先端係止部方向に移動させるロック爪押動部が設けられていることを特徴としている。
【００１０】
【発明の実施の形態】
図１乃至図４は、本発明の金型開閉装置の一形態例を示すものであって、図１は蓋を閉じた状態の遠心成形型と金型開閉装置との関係を示す断面図、図２は遠心成形型に金型開閉装置を組み合わせた状態を示す断面図、図３はロック手段のロックを解除するとともに金型開閉装置で蓋を把持した状態を示す断面図、図４は金型本体から蓋を取り外して金型を開いた状態を示す断面図である。
【００１１】
また、図５乃至図７は、本発明の金型開閉装置によって開閉される蓋を装着した遠心成形型の一形態例を示すもので、図５は断面正面図、図６は蓋の平面図、図７はロックを解除して金型本体から蓋を取り外した状態を示す断面正面図である。さらに、図８及び図９は、遠心成形型の他の形態例を示すもので、図８は断面正面図、図９はロックを解除して金型本体から蓋を取り外した状態を示す断面正面図である。また、図１０は、遠心成形型の更に他の形態例を示す要部の断面正面図である。
【００１２】
まず、図５乃至図７に示すように、遠心成形型１０は、管状の金型本体１１と、該金型本体１１の両端開口を閉塞するための一対の蓋１２と、蓋１２を金型本体１１に固定するためのロック手段１３とを有するものであって、一方の蓋を金型本体１１に装着してロック手段１３により固定した状態で金型本体内に原料樹脂を注入し、他方の蓋を装着してロック手段１３により固定し、金型本体１１の両端開口を蓋１２で閉塞した後、蓋１２の外面中央に設けられている蓋支持部材１４の円錐穴１５に回転駆動軸の先端を嵌合させ、回転駆動軸を駆動して遠心成形型を高速回転させることにより、金型本体１１の内周面に沿う筒状の成形品を得るものである。
【００１３】
前記ロック手段１３は、蓋１２の外周に等間隔で設けられた３箇所のロック爪支持部２１にそれぞれ設けた蓋接線方向のピン２２に対して、金型軸線方向の長孔２３を介して蓋法線方向に傾動可能かつ軸線方向に移動可能な状態でロック爪２４を設けたものであって、ロック爪２４の先端部に設けた係止部２５を金型本体１１に設けられているフランジ１６に係止させることにより、金型本体１１と蓋１２とを金型閉じ状態にロックするように形成されている。
【００１４】
ロック爪支持部２１は、円盤状の蓋材の外周を切削して形成されたものであって、このロック爪支持部２１の上面には、蓋外周側に向けて下り勾配を有する傾斜面２１ａが設けられている。また、蓋外面に突出した状態のロック爪２４の後端には、ワッシャー２６を介してナット２７がねじ込まれており、ワッシャー２６と前記傾斜面２１ａとの間に、ロック爪２４をロック状態に保持するためのコイルスプリング２８が圧縮状態で装着されている。
【００１５】
このコイルスプリング２８は、先端側が前記傾斜面２１ａに支持されることにより、蓋外周側に比べて蓋内周側の撓み量が大きくなるため、ロック爪２４には、コイルスプリング２８の復元力によって後端部側（ナット側）が蓋外周側に倒れる方向の力が作用し、これによって前記係止部２５がフランジ１６に係止する方向の力が作用するとともに、コイルスプリング２８の全体の復元力によってロック爪２４を蓋外面側に引き上げる力、すなわち、蓋１２を金型本体１１に圧着させる方向の力が作用することになる。
【００１６】
このように形成したロック手段１３は、図５に示すように、蓋１２を金型本体１１に装着した状態では、前記コイルスプリング２８の作用により、ロック爪２４の係止部２５がフランジ１６に確実に係止した状態になるとともに、ロック爪２４を長孔２３で支持したことにより、蓋１２を金型本体１１の開口に押し付けた状態となる。このとき、コイルスプリング２８の性能を適当に選択することにより、必要十分な押し付け力で蓋１２を金型本体１１に密着させることができる。また、ロック爪２４へのナット２７の螺合量を変えることにより、コイルスプリング２８による押し付け力を微調整することが可能である。このロック手段１３による金型本体１１と蓋１２とのロック状態は、図７に示すように、ロック爪２４の後端ナット部分を蓋内周側に傾動させ、係止部２５とフランジ１６との係合状態を解除することによって行うことができる。
【００１７】
また、蓋１２の内面には、金型本体１１の端面に圧接することによって金型本体１１と蓋１２との間をシールする円盤状のパッキン３１が設けられるとともに、このパッキン３１の内面側に、金型本体１１の口径に対応した外径を有する円盤状の金属製内蓋３２が設けられている。前記パッキン３１は、蓋１２の内面全体を覆うように設けられており、金型本体１１の口径の大小に関係なく、金型本体１１と蓋１２との間をシールできるようにしている。なお、パッキン３１には、任意のパッキン材を用いることができ、例えば、シリコン系パッキン材、フッ素樹脂系パッキン材等を、それぞれ単独であるいは適宜積層して用いることができる。特に、高温の原料樹脂を使用する場合は、蓋１２側に適当なクッション性を有するシリコン系パッキン材を、金型本体１１側に耐熱性に優れたフッ素樹脂系パッキン材を積層配置したものが最適であり、これによって十分なシール性を得ながら、十分な耐熱性を得ることができる。
【００１８】
前記金属製内蓋３２は、金型本体１１の管状部分に挿入された状態となる略円盤状の内蓋本体３３と、蓋１２の中心に設けられた通孔３４を貫通する取付軸３５と、内蓋本体３３の外周縁から蓋１２側にリング状に突出した突出縁３６とを有しており、内蓋本体３３の金型内部面は、中央が金型内部方向に突出した円錐面に形成されている。この金属製内蓋３２は、蓋１２の外面に設けられる前記蓋支持部材１４を貫通するボルト３７によって蓋１２の内面に装着されている。
【００１９】
蓋１２の外面中央に突設した前記蓋支持部材１４は、円柱状の部材を複数のボルト３８によって蓋１２に取り付けたものであって、端面中央には、回転駆動軸の先端を嵌合させる前記円錐穴１５が設けられ、外周壁には、蓋把持用の周溝３９が設けられている。
【００２０】
図１乃至図４に示すように、このように形成した蓋１２を金型本体１１に対して着脱するための金型開閉装置５０は、開閉装置各部材を装着支持するための開閉装置支持体５１と、該開閉装置支持体５１の中央部に設けられた蓋把持部５２と、該蓋把持部５２の外周に設けられたロック爪操作筒５３と、該ロック爪操作筒５３を金型軸線方向に移動させる操作筒移動手段としてのシリンダー５４と、ロック爪操作筒５３の内部に設けられたリング状のロック爪押動部５５と、前記蓋把持部５２に設けられた蓋係合部材としての係合球体５６と、該係合球体５６を蓋１２との係合位置に移動させるための把持固定筒５７とを備えている。なお、図１乃至図４において、蓋１２の部分は、ロック手段１３の部分を切断した断面で示している。
【００２１】
前記蓋把持部５２は、前記開閉装置支持体５１に対して支持筒６１を介して取り付けられた蓋把持筒６２と、該蓋把持筒６２の周壁に径方向に形成した複数の通孔６３内にそれぞれ径方向に移動可能に設けられた前記係合球体５６とを有しており、蓋把持筒６２の内径は、前記蓋支持部材１４の外径より僅かに大きく設定されている。また、通孔６３は、蓋把持筒６２の先端６２ａが蓋１２の外面１２ａに当接したときに、蓋支持部材１４に設けた周溝３９の外周に位置するように形成されている。この通孔６３に挿入された状態となる係合球体５６は、蓋把持筒６２の壁厚より大きな直径を有するものであって、該係合球体５６の蓋把持筒外部側が蓋把持筒外周面と面一になったときに、該係合球体５６の蓋把持筒内部側が蓋把持筒内周面から突出して前記周溝３９に係合するように形成されている。
【００２２】
前記把持固定筒５７の先端部には、段差部５８が設けられており、この段差部５８よりも開閉装置支持体５１側の小径部５７ａは、蓋把持筒６２の外周面に接して摺動可能な状態の内径を有しており、段差部５４よりも筒先端側の大径部５７ｂの内径は、開閉装置支持体５１側よりも大きく形成され、前記係合球体５６を蓋把持筒外周面から突出した状態に保持できるようにしている。この把持固定筒５７は、前記ロック爪操作筒５３と一体的に形成されており、前記シリンダー５４の作動により、ロック爪操作筒５３と一体に金型軸線方向に移動するように形成されている。
【００２３】
ロック爪操作筒５３は、前記複数のロック爪２４の外接円より大きな内径を有するロック爪側の開口部７１と、該開口部７１から開閉装置支持体５１側に向けて次第に縮径してロック爪２４の後端を蓋内周方向に傾動させるための円錐面７２とを有するものであって、前記把持固定筒５７との連結部に設けた複数のガイド孔７３と、前記支持筒６１の取付フランジ７４に設けられた複数のガイド軸７５とによって金型軸線方向に移動可能な状態で支持されている。また、ロック爪操作筒５３の外周には、前記シリンダー５４のロッド５４ａに連結される駆動部材７６が取り付けられている。
【００２４】
前記ロック爪押動部５５は、前記ガイド軸７５の先端に取り付けられたものであって、このロック爪押動部５５は、蓋把持筒６２の先端６２ａが蓋１２の外面１２ａに当接したときに、ロック爪２４の後端に装着されたナット２７を介してロック爪２４を先端の係止部２５の方向に移動させ、係止部２５と前記フランジ１６とを離間させることができる位置に設けられている。
【００２５】
なお、開閉装置支持体５１は、図示しないシリンダー等によって金型軸線方向に移動可能な状態で設置されており、遠心成形型１０は、金型本体１１の胴部がチャック機構等の保持手段により保持されている。すなわち、遠心成形型１０と金型開閉装置５０とは、蓋１２を着脱する際に、両者の軸線が一致する状態となるように位置決めされる。
【００２６】
次に、蓋１２を金型本体１１から取り外す手順を説明する。まず、図１に示すように、遠心成形型１０を、金型開閉装置５０に対して所定の位置関係となるようにセットしてチャック機構等によって保持固定する。次に、シリンダー等の駆動手段によって金型開閉装置５０を遠心成形型１０の方向に移動させる。なお、一方の蓋１２のみを着脱する場合には、遠心成形型１０を移動させるように形成することも可能である。
【００２７】
金型開閉装置５０を遠心成形型１０の方向に移動させて両者を組み合わせると、図２に示すように、蓋把持筒６２の先端６２ａが蓋１２の外面１２ａに当接するとともに、ロック爪操作筒５３の開口部７１からロック爪２４後端のナット２７部分が進入し、ナット２７の頭部が前記ロック爪押動部５５に当接してロック爪２４を係止部２５の方向に押圧する。これにより、ロック爪２４が前記長孔２３に沿って金型本体１１の金型胴部方向に移動し、係止部２５とフランジ１６とが離間した状態になる。このように、係止部２５とフランジ１６とを離間させておくことにより、フランジ１６に対する係止部２５の係脱を容易に行えるとともに、係止部２５等の損耗を防止することができる。また、この状態では、前記係合球体５６は、把持固定筒５７の大径部５７ｂに移動可能な状態となっており、蓋支持部材１４が蓋把持筒６２の内部に進入可能な状態となっている。
【００２８】
図２の状態で、前記シリンダー５４を伸長方向に作動させると、図３に示すように、ロッド５４ａに連結されたロック爪操作筒５３と把持固定筒５７とが金型本体１１方向に移動し、ロック爪２４後端のナット２７がロック爪操作筒５３の円錐面７２に摺接しながら蓋内周側に傾動する。このようにしてロック爪２４の後端が蓋内周方向に傾動することにより、ピン２２を中心としてロック爪２４が回動し、係止部２５がフランジ１６から離れて係止状態が解除され、ロック手段１３による金型本体１１と蓋１２とのロックが解除される。
【００２９】
さらに、ロック爪操作筒５３と一体に把持固定筒５７が金型方向へ移動することにより、係合球体５６の外部側に接触する部分が、大径部５７ｂ部分から段差部５８を越えて小径部５７ａとなり、係合球体５６が通孔６３内に押し込まれ、係合球体５６の蓋把持筒外部側が蓋把持筒外周面と面一となることにより、該係合球体５６の蓋把持筒内部側が蓋把持筒内周面から突出して前記周溝３９に係合し、蓋把持部５２によって蓋支持部材１４を把持した状態となり、蓋１２が金型開閉装置５０に保持された状態となる。
【００３０】
このように、金型本体１１と蓋１２とのロック状態が解除され、蓋１２が金型開閉装置５０に保持された状態で金型開閉装置５０を遠心成形型１０から離れる方向に移動させると、図４に示すように、金型本体１１と蓋１２とが分離して遠心成形型１０が開いた状態となる。このようにして蓋１２を取り外した金型本体１１は、チャック機構等を開放することにより、例えば、原料樹脂注入工程や成形品取出工程にロボットアーム等によって搬送される。
【００３１】
逆に、蓋１２を金型本体１１に装着する場合は、上記手順を逆に行えばよい。すなわち、図４に示すように、蓋１２を保持した状態の金型開閉装置５０と金型本体１１とを位置決めした状態で、図３に示すように、金型開閉装置５０を金型本体１１方向に移動させて蓋１２と金型本体１１とを密着させた後、図２に示すように、シリンダー５４を短縮方向に作動させて蓋把持部５２による蓋１２の把持状態を解除するとともに、ロック爪２４の係止部２５をフランジ１６に係止可能な位置とし、最後に、図１に示すように、金型開閉装置５０を遠心成形型１０から離脱させることにより、蓋１２を金型本体１１に装着してロックした状態とすることができる。
【００３２】
このように、遠心成形型１０を金型開閉装置５０に対して所定位置にセットした状態で、金型開閉装置５０の各部をシリンダー等によって所定の順序で作動させることにより、金型本体１１に対する蓋１２の着脱を自動的に行うことができる。このとき、金型開閉装置５０における各部の動作を金型軸線方向としているので、金型開閉装置５０の製造、組立を容易に行えるとともに、確実な作動を期待することができる。また、蓋把持部５２やロック爪操作筒５３、ロック爪押動部５５を筒状又はリング状に形成しているので、蓋１２に設けたロック手段１３の位置が周方向に変化しても対応することができ、金型開閉装置５０と遠心成形型１０との位置決めも容易に行うことができる。
【００３３】
なお、蓋把持部５２による蓋１２の把持は、前述のような通孔６３に収納した係合球体５６と把持固定筒５７とに代えて、スプリングによって係合球体等を蓋把持筒６２の内周に突出させる方向に付勢した、いわゆるボールキャッチのようなものを使用することも可能である。また、蓋外面に筒状の蓋支持部材を突設し、金型開閉装置側に前記蓋支持部材内に進入するような蓋把持部を設けることにより、金型開閉装置で蓋を保持するようにすることもできる。
【００３４】
また、このような構造の金型開閉装置５０は、蓋１２に設けられているロック手段１３が、蓋１２の外面に突出したロック爪２４の後端を蓋内周方向に傾動させることによって係止部２５と金型本体１１のフランジ１６との係止状態を解除するように形成されている各種形状の遠心成形型に対応することができる。
【００３５】
例えば、図８及び図９は、金型本体における管状部の口径が小さい場合、すなわち、小径の中空円筒体を成形するための遠心成形型を示すものである。なお、以下の説明において、前記図５乃至図７に示した遠心成形型における主要な構成要素と同一の構成要素には同一符号を付して詳細な説明は省略する。
【００３６】
この遠心成形型１１０では、小径の金型本体１１１の両端にそれぞれ設けられるフランジ１１６を、図５に示した前記金型本体１１のフランジ１６と同一の直径及び厚さに形成するとともに、蓋１２の内面に、外径が金型本体１１１の口径に適合する金属製内蓋１３２を装着したものである。したがって、本例に示す遠心成形型１１０では、金属製内蓋１３２を除いて図５に示したものと同じ蓋１２を使用することができるので、前記金型開閉装置５０を使用することにより、この遠心成形型１１０における蓋１２の着脱を前記同様に行うことができる。また、蓋１２の内面に円盤状のパッキン３１を設けておくことにより、金型本体の口径が異なっている場合でも、同一のパッキン３１で金型本体と蓋との間を確実にシールすることができる。
【００３７】
図１０に示す遠心成形型２１０は、蓋２１２の内部に、金型本体２１１の管状部開口２４１を覆うシール板２４２を設け、このシール板２４２を、蓋２１２を貫通する複数のガイドボルト２４３によって金型軸線方向に移動可能に支持するとともに、このガイドボルト２４３に外装した圧接スプリング２４４によってシール板２４２を管状部開口２４１の方向に向けて付勢したものである。
【００３８】
蓋２１２を金型本体２１１に固定するためのロック手段２１３は、蓋２１２の外周３箇所に等間隔で設けられたロック爪支持部２２１にピン２２２によってそれぞれ傾動可能に取り付けられたロック爪２２４と、このロック爪２２４をロック方向に付勢するためのロックスプリング２２８とを有するものであって、ロック爪２２４の先端部には、前記同様に、金型本体２１１に設けたフランジ２１６に係止する係止部２２５が設けられている。ロック爪２２４の後端部は、前記同様に、蓋外面よりも突出した状態になっており、この突出部分を蓋内周方向に傾動させることにより、係止部２２５とフランジ２１６との係止状態を解除できるようにしている。
【００３９】
また、シール板２４２の内面には、前記同様の円盤状のパッキン２３１が設けられており、前記圧接スプリング２４４を圧縮させるようにして蓋２１２を金型本体２１１に装着し、前記ロック爪２２４の係止部２２５をロックスプリング２２８の作用でフランジ２１６に係止させると、圧接スプリング２４４の復元力によってシール板２４２が金型本体２１１に圧接して金型が閉じた状態になる。
【００４０】
このように形成した蓋２１２の着脱も、前記同様に形成した金型開閉装置５０を用いて前記同様の手順で行うことができる。なお、本例の蓋２１２では、ロック爪押動部５５によってロック爪２２４を押圧したときに、圧接スプリング２４４を圧縮するようにして蓋２１２とロック爪２２４とが金型胴部方向に移動することにより、係止部２２５とフランジ２１６とが離間した状態になる。
【００４１】
【発明の効果】
以上説明したように、本発明の金型開閉装置によれば、遠心成形型における蓋の着脱を完全に自動化することが可能となり、金型内への原料樹脂の注入工程や、成形品の取出工程との連携によってこれらの各工程を全自動で行うことができ、中空円筒体の製造効率を向上させることができる。
【図面の簡単な説明】
【図１】本発明の金型開閉装置の一形態例を示すもので、蓋を閉じた状態の遠心成形型と金型開閉装置との関係を示す断面正面図である。
【図２】遠心成形型に金型開閉装置を組み合わせた状態を示す断面正面図である。
【図３】ロック手段のロックを解除するとともに金型開閉装置で蓋を把持した状態を示す断面正面図である。
【図４】金型本体から蓋を取り外して金型を開いた状態を示す断面図である。
【図５】本発明の金型開閉装置によって開閉される蓋を装着した遠心成形型の一形態例を示すも断面正面図である。
【図６】蓋の平面図である。
【図７】ロックを解除して金型本体から蓋を取り外した状態を示す断面正面図である。
【図８】遠心成形型の他の形態例を示す断面正面図である。
【図９】ロックを解除して金型本体から蓋を取り外した状態を示す断面正面図である。
【図１０】遠心成形型の更に他の形態例を示す要部の断面正面図である。
【符号の説明】
１０…遠心成形型、１１…金型本体、１２…蓋、１２ａ…蓋の外面、１３…ロック手段、１４…蓋支持部材、１５…円錐穴、１６…フランジ、２１…ロック爪支持部、２１ａ…傾斜面、２２…ピン、２３…長孔、２４…ロック爪、２５…係止部、２６…ワッシャー、２７…ナット、２８…コイルスプリング、３１…パッキン、３２…金属製内蓋、３３…内蓋本体、３４…通孔、３５…取付軸、３６…突出縁、３７…ボルト、３８…ボルト、３９…周溝、５０…金型開閉装置、５１…開閉装置支持体、５２…蓋把持部、５３…ロック爪操作筒、５４…シリンダー、５４ａ…ロッド、５５…ロック爪押動部、５６…係合球体、５７…把持固定筒、５７ａ…小径部、５７ｂ…大径部、５８…段差部、６１…支持筒、６２…蓋把持筒、６２ａ…蓋把持筒の先端、６３…通孔、７１…開口部、７２…円錐面、７３…ガイド孔、７４…取付フランジ、７５…ガイド軸、７６…駆動部材
【図１】
2004155034.tif 000003
【図２】
2004155034.tif 000004
【図３】
2004155034.tif 000005
【図４】
2004155034.tif 000006
【図５】
2004155034.tif 000007
【図６】
2004155034.tif 000008
【図７】
2004155034.tif 000009
【図８】
2004155034.tif 000010
【図９】
2004155034.tif 000011
【図１０】
2004155034.tif 000012